(57)【要約】      （修正有）【課題】ブーツを脱いだときブーツの足首部などに発生する折れ曲がりを抑制し、しかもブーツの湿気や臭気を除去できるようにする。【解決手段】ブーツ６の高さ方向以上の長さとした一対の支柱２ａ、２ｂを基台１に植立する。各支柱２の先端にはブーツ内側の底部面積より小さ目とした受け台５を固定してブーツ６を内側から載せられるようにする。使用するときは脱いだブーツを支柱２に倒立した状態で受け台５に載置して保持させる。載せられたブーツの脚部は自重によって伸ばされ折れ曲がりが抑制され、湿気も徐々に下方に下がってブーツ脚部全体が除湿板として機能する。また受け台５の中央部を凹状としたので乾燥剤、脱臭剤など保管材を収容できる。【選択図】図２
0003130951.tif 000002
【実用新案登録請求の範囲】
【請求項１】
ブーツの高さ方向以上の長さとした一対の支柱を植立した１つの基台と、前記各支柱先端に固定したブーツ内側底部を載せる受け台とで構成され、前記各受け台に倒立状態の左右ブーツ内側底部を夫々載置して保持するようにしたことを特徴とするブーツスタンド。
【請求項２】
ブーツの高さ方向以上の長さとした１つの支柱を植立した基台と、前記支柱先端に固定したブーツ内側底部を載せる受け台とで構成され、前記受け台に倒立状態にした左右いずれかのブーツ内側底部を載置して保持するようにしたことを特徴とするブーツスタンド。
【請求項３】
受け台近域に保管剤を収容する保管剤収容部を設けたことを特徴とする前記請求項１、２記載のブーツスタンド。
【請求項４】
支柱側で固定され、他端側では開放されて下向きにして統一したバネ材による複数組の羽根を、形状保持部として支柱に取り付けたことを特徴とする前記請求項１、２、３記載のブーツスタンド。
【請求項５】
線材で形成した筒状の形状保持部を支柱に取り付けたことを特徴とする前記請求項１、２、３記載のブーツスタンド。
【考案の詳細な説明】
【技術分野】
【０００１】  本考案はブーツを保持し保管するためのスタンドに関するもので、特にブーツを倒立した状態で保持できるようにして、保管時の環境向上を目指したものである。
【背景技術】
【０００２】  ブーツはその高さ方向にある長さを持っていて、それが他の靴と区別する大きな特徴となっている。そしてこの特徴が防寒、防湿、防風として機能し、使用者にとって大きな効果をもたらしている。しかしブーツの不使用時にはこの特徴が弊害となって現れ、各種の不都合を使用者に与えている。【０００３】  例えば家庭の玄関などでブーツを脱いでそのままにしておくと、足首部分や脚部の途中で折れ曲がったり、あるいは折れ曲がりによって転倒し自立状態にあるとは言いがたい不安定な姿勢となってしまう。そしてこの折れ曲がりなどによってしわが発生し、発生したしわはブーツ全体の美感を損ない、手入れの行き届きにくいところとなってしまう。また折れ曲がりの発生は一対のブーツによって占有される玄関や下駄箱内での面積を拡大し、整理や収納に支障をきたすようになる。
さらにブーツは前記した機能を享受するため寒冷時や風雨、降雪などの荒天時に使用されるときが多い。そのため使用した後のブーツは、内部での発汗によるムレや雨、雪などによる湿気の影響を受けてしまう。そして一旦湿気を帯びるとその高さ方向の特徴から、なかなか乾きにくいという性質となってしまう。さらに使用したブーツをそのまま玄関などの隅部に置いておくと、湿気は高さ方向最上部に位置している履き口部方向から徐々に足首部方向に下がって靴底部に溜まり、翌日の使用時にはこの靴底部に溜まった湿気によって不快感を受けることが多い。またこのような湿気状態にあるとき前記の折れ曲がりが発生すると、湿気はブーツ内部に閉じ込められて一層残留し、解放されないままの乾きにくい状態が持続されてしまう。そしてこの湿気の問題は残留臭の問題を併発する。【０００４】  このような問題の解決方法として特許文献１が知られている。これは上下の押圧力によって外部に歪曲して開脚する保形部を、正立したブーツの脚部内に挿入するようにしているもので、この保形部によって正立したブーツが足首部で折れ曲がるのを防止するようにしている。それによって折れ曲がりによって発生する美感上の問題や下駄箱内での占有面積の問題は解決することが出来る。しかし湿気を受けてしまったブーツは正立状態で保管されるため靴底部に段々と溜まってくる湿気を除去することが出来ない。また脚部内に挿入される保形部は外部からの押圧力によって開脚する構造となっているため、ブーツの脚部側面に設けられているチャックを開いたままにしておくことが出来ず、ブーツ内部の湿気や臭気を残してしまう状態となって、その除去には別途の対策が必要となる。【０００５】  保形部をブーツの脚部内に挿入する代わりに、差込ワイヤーを支柱に取り付け、この支柱とワイヤー間でブーツの履き口を保持するようにしたものも特許文献２として知られている。この特許文献２によれば一対のブーツを支柱とワイヤー間で挟持し吊り下げて保持するようにしているので、特許文献１と同じようにブーツの転倒防止やしわの発生防止などには効果がある。しかし湿気の問題、特に吊り下げられたときブーツの下端側となる靴底部にたまってしまう湿気については効率よく除去することが出来ない。またブーツの重量によっては支柱とワイヤーによる保持力に耐え切れなくなって落下してしまうという恐れもある。
特許文献３にも一対のブーツを支持柱と摺動子で吊り下げるようにしたブーツスタンドが示されている。そしてこの文献３にはブーツを保持するために、筒状とした保持用部材を別個に用意し、これを先端が靴底にあたるまで挿入するということも示されている。従ってこの保形用部材にブーツ内部での湿気を吸収するための吸収材を装着できるようにしておけば、前記した湿気の問題を解決し、併せて折れ曲がりによる問題も同時に解決することが出来る。しかしこの文献３によるものではブーツを吊り下げようとするたびに、あるいはブーツを取り外そうとするたびに支持柱と摺動子をその都度操作するという動作をしなければならない。また吊り下げるたびに別個に用意されている前記の保形用部材をブーツの内側内に挿入するという動作を必要とし、手間がかかって面倒である。
【特許文献１】実用新案登録第３０９２４４８号
【特許文献２】実用新案登録第３１１０８２２号
【特許文献３】実開平７−１３２７０号公報
【考案の開示】
【考案が解決しようとする課題】
【０００６】  従って本考案の課題はブーツを脱いだとき、その足首部などに発生する折れ曲がりを抑制し、併せて湿気や臭気を容易に除去できるようなブーツスタンドを求めることである。それもブーツを保管状態にしたとき湿気が乾きにくい靴底部に溜まってしまうのを防止できるようにすることである。そしてさらに別個に用意する保形用部材を使用することなしにブーツの形状維持が図れるようにすることである。これらによってブーツ全体の美感を維持し保管時の環境向上ができるようにすることである。
【課題を解決するための手段】
【０００７】  上記課題を解決するため本考案は、ブーツの高さ方向以上の長さとした一対の支柱を植立した１つの基台と、前記各支柱先端に固定したブーツ内側底部を載せる受け台とで構成され、前記各受け台に倒立状態の左右ブーツ内側底部を夫々載置して保持するようにしたことを特徴とする。
請求項２の考案によるものは、ブーツの高さ方向以上の長さとした１つの支柱を植立した基台と、前記支柱先端に固定したブーツ内側底部を載せる受け台とで構成され、前記受け台に倒立状態にした左右いずれかのブーツ内側底部を載置して保持するようにしたことを特徴とするブーツスタンド。
請求項３の考案によるものは前記請求項１、２記載のブーツスタンドにおいて、受け台近域に保管剤を収容する保管剤収容部を設けたことを特徴とする。
請求項４の考案によるものは前記請求項１、２、３記載のブーツスタンドにおいて、支柱側で固定され、他端側では開放されて下向きにして統一したバネ材による複数組の羽根を、形状保持部として支柱に取り付けたことを特徴とする。
請求項５の考案によるものは前記請求項１、２、３記載のブーツスタンドにおいて、線材で形成した筒状の形状保持部を支柱に取り付けたことを特徴とする。
【考案の効果】
【０００８】  本考案は基台に植立した支柱に、倒立したブーツの内側底部を保持させるようにして保管するようにしたことを特徴とする。それによってブーツは倒立した状態で保持されるので足首部などに発生する折れ曲がりは抑えられ、美感が維持されるよう働く。また倒立状態での保管は転倒が防止され、転倒による占有面積の拡大を防止し、埃やごみの流入を防ぐことが出来る。さらに乾きにくい靴底部を最上段部に、乾きやすい履き口部が最下段部に位置することになるから、湿気を帯びたブーツであっても湿気は上段の靴底部から下段の履き口部方向に徐々に移動していき、ブーツの脚部全体が除湿板のようになってブーツ全体を効率よく除湿できる。この除湿化は脱臭化につながるが、支柱先端に固定したブーツ内側底部載置用受け台近域に設けた保管剤収容部を利用することによって、乾燥剤や脱臭剤、芳香剤などを使用しての除湿化と脱臭化を一層進めることが出来る。また支柱にバネ材による羽根で形成した形状保持部や線材による筒状の形状保持部を取り付けることによって、ブーツの保管状態が形状維持機能として作用する。そして前記形状保持部はブーツ脚部のチャックを開放にしたままでの保持を可能とする。これはブーツを脱いだ後にチャックを締めるという手間を省略して取り扱い性を良くするだけでなく、乾燥のための空気流入を促進することになる。これらによってブーツ全体の保管環境を向上することが出来る。
【考案を実施するための最良の形態】
【０００９】  以下に本考案によるブーツスタンドについて添付図面に基づいて説明する。
【実施例１】
【００１０】  図１は本考案によるブーツスタンドＳの全体的な構成を示す説明用の斜視略図で、図２はその一部断面図である。両図において基台１には一対の支住２ａ、２ｂが植立した固定され、さらに中央部には回転受台３に固定した取手４が貫通している。支柱２の先端にはそれぞれ受け台５が固定され、図２に点線で示したようにブーツ６の内側底部を倒立した状態で載置して保持する。回転受台３はベアリング７を介して基台１と連結され基台１を回転自在に保持する。３ａは回転受台３に設けた足である。
図３は一般的なブーツの説明図である。図においてブーツ６は高さ方向にＬの長さを持っており、チャック８などの開閉手段が付されている。またこのブーツ６は底部６ａと脚部６ｂに区別され、足首部６ｃと履き口部９を有している。そして前記図１、２に示した支柱２はこのブーツ６全体の高さ（長さ）Ｌ以上の長さを有しており、その受け台５に倒立したブーツの底部６ａを内側から載せたとき、ブーツ６の履き口部９と基台１間にゆとりが生じるようになっている。従ってブーツの長さＬに応じて支柱２の長さを変えたスタンドＳを用意することで、各種長さＬのブーツに対応することが出来る。支柱２の先端に固定した受け台５は、板状の材質でブーツ６の内側底部６ａの底面積より小さ目のサイズとなっていて、ブーツを載置して保持したときブーツの重量を支えるに十分な強度が与えられている。【００１１】  使用者はブーツ６を脱いだとき、チャック８を開けたまま一対の支柱２ａ、２ｂに左右のブーツ６を逆さにして倒立状態で保持させる。すると支柱２ａ、２ｂの先端には受け台５が固着されているから、ブーツ底部６ａの内側が受け台５によって保持された状態となる。支柱２はブーツの高さＬ以上の長さとしてあるから、ブーツを保持した状態のまま取手４を持ちスタンドＳ全体を例えば玄関の隅に置くようにすれば、それがブーツを保管することになる。
ブーツ６を使用するときは取手４を持ってスタンドＳを履きやすい位置に運び、支柱２からブーツを外して履くようにすれば良い。このとき基台１は回転受台３とのベアリング７によって回転自在であり、ブーツを支柱２から取り外すときに便利である。【００１２】  発汗や雨雪などによって湿気を帯びたブーツ６を倒立状態としてスタンドＳに保持させると、ブーツ脚部６ｂ全体は自重によって伸ばされたような状態となる。そして湿気はブーツ底部６ａ方向から徐々に脚部６ｂ方向に下がっていき、脚部６ｂ全体が除湿板であるかのように作用する。またチャック８を開けたままとしておくことで、履き口部９は大きく開放されたようになり、ブーツ内部の除湿化、脱臭化を一層進めることになる。
尚、図１、２では一対の支柱２ａ、２ｂを１つの基台１に植立した例となっているが、もう一対の支柱、例えば２ｃ、２ｄ（図示せず）を植立するようにすれば、同時に２足のブーツを１つの基台１で保持し保管することが出来る。【００１３】  図４はブーツ長期不使用時、例えば夏期のブーツ保管方法を例示した説明図で、３つのスタンドＳ１、Ｓ２、Ｓ３を連結して吊り下げ状態としたときの例となっている。図において基台１は回転受台３と分離され、新たに連結金具１０が基台１の底部に取り付けられる。この取り付けは例えばビスなどによってとめる方法のほか、図の例のように支柱２ａ、２ｂを基台１に固定するとき一緒にとめるようにしても良い。
保管方法について説明すると先ず保管するブーツ６を１つ目のスタンドＳ１の支柱２ａ、２ｂに保持させる。そしてこのスタンドＳ１の取手４先端部を、例えば洋服ダンスやクローゼット（押入れ）などに設けられている引掛金具やハンガー吊り下げ用の横棒Ｈに吊り下げる。次に２つ目のスタンドＳ２に別の保管する一対のブーツ６を保持させる。そしてこのスタンドＳ２の取手４先端部を先のスタンドＳ１の連結金具１０に吊り下げる。同じようにして３つ目のスタンドＳ３に別の一対のブーツ６を保持させ、それを２つ目のスタンドＳ２の連結金具１０に吊り下げる。こうして３つのスタンドＳ１、Ｓ２、Ｓ３が連結され、３足のブーツを保持した状態となったら全体を袋状のビニールシート１１で覆う。このシート１１は例えばクリーニング後の洋服類を収納する袋状のビニールシートで充分であり、このようなシート１１で覆っておくことでブーツ６の乾燥状態は維持され、洋服ダンス内でのブーツ臭の拡散を防止することが出来る。【００１４】  上記のようにこの実施例では回転受台３上に基台１を連結して回転自在とする一方で、ブーツを長期に保管する時は回転受台３と基台１を分離して保管時の重量を軽減できるようにしている。しかしブーツ６の保管という目的からすれば回転受台３は必須の構成部材ではないから、当初から除くようにしておけば経済的なスタンドＳを得ることが出来る。【００１５】  図５はこの経済的なスタンドＳｃの一例を示す説明図である。図Ａにおいて基台１ａの中央部には回転金具１２が固定され、この金具１２の内部を取手４が回転できるよう貫通している。基台１ａには図１、２と同様に一対の支柱２ａ、２ｂが植立され、ブーツ６の内側底部を載置する受け台５がそれぞれ取り付けられている。回転金具１２に対する取手４は、取手４に固定した下端ピン１３ａと上端ピン１３ｂによってその位置が規定される。取手４の下部には孔を持った連結金具１０ａが一体に設けられている。３ａは基台１ａに取り付けた複数の足である。
このスタンドＳｃでは、足３ａ上で静止している基台１ａの回転金具１２内で取手４が回転する。従って取手４を持って基台１ａの全体を持ち上げれば基台１ａを回転することが出来る。これで図２のベアリング７や回転受台３を省くことが出来る。図４のように複数のスタンドＳｃ１、Ｓｃ２、Ｓｃ３を連結し、洋服ダンス内に収容保管するようなときは、１つ目のスタンドＳｃ１の取手４先端部を洋服ダンスの横棒Ｈに吊り下げ、次に２つ目のスタンドＳｃ２の取手４先端部を前記１つ目のスタンドＳｃ１の取手４下端部に設けた連結金具１０ａの孔に引っ掛けて連結する。そして２つ目のスタンドＳｃ２の取手４下端部に設けた連結金具１０ａの孔に３つ目のスタンドＳｃ３の取手４先端部を引っ掛けて連結する。これで３つのスタンドＳｃ１、Ｓｃ２、Ｓｃ３を連結することが出来るから、適宜支柱２にブーツを保持させればよい。【００１６】  図５Ｂはさらに簡略化して経済的にしたスタンドＳｃｃである。図において取手４、一対の支柱２ａ、２ｂ、足３ａは１つの基部金具１４によって一体に固定される。具体的には上記各要素４、２、３ａが基部金具１４の部分で溶接などによって固定される。このような構成とすれば、図５Ａの基台１ａ自身も必須部材では無くなるので省略することが出来る。従って基部金具１４は図１の基台１や図５の基台１ａと読み替えることが出来る。
図４で説明したように複数のスタンドｓｃｃ１、Ｓｃｃ２、Ｓｃｃ３を連結するようなときは、支柱２ａ、２ｂの基部金具１４側に設けた溝１５に取手４の先端部を引っ掛けるようにすれば良い。上記のようなスタンドＳｃｃとすれば経済化を一層進めることが出来る。
【実施例２】
【００１７】  図６は実施例２の説明図である。図Ａにおいて基台１ｂには図２のような回転受台３はなく、基台１ｂに１つの支柱２が植立され、足３ａが前記の例と同様に取り付けられている。支柱２の先端には受け台５が固定され、左右いずれかのブーツを保持する。このようなスタンドＳｓを複数用意し、スタンドＳｓごとに１つのブーツ６を保持させる。さらにこの例では受け台５近域に２つの保管剤収容部１６を設けてある。その１つ１６ａは受け台５と共通になっていて、もう１つの収容部１６ｂは皿状の部材で構成され、支柱２の中ほどにビスなどによって取り付けられる。前者の収容部１６ａはその中央部１７が凹状になっていて、この凹状部分１７に乾燥剤、脱臭剤、芳香剤などの各種保管剤１８を収容する。後者の皿状収容部１２ｂにも前者の収容部１６ａと同様に保管剤１８が収容される。【００１８】  図６Ｂは皿状収容部１２ｂの変わりに支柱２に取り付けたフック１９を収容部１６ｃとしたときの例である。このフック１９による収容部１６ｃは袋２０に収容した乾燥剤、脱臭剤、芳香剤などの保管剤１８をひもで吊り下げて使用するが、前記の皿状収容部１６ｂと同様に受け台５近域での取り付け位置を選択することで乾燥促進部位を選定することが出来る。また電池で駆動する小型扇風機を乾燥剤の一種として前記フック１９に吊り下げるようにすれば乾燥化の速度を速めることが出来る。
このようにブーツごとのスタンドＳｓとし、それに保管剤収容部１６を設けることによって、収容部１６に収容した保管剤１８の作用を受けながらブーツ６の乾燥と脱臭を進めることが出来る。またこのブーツスタンドＳｓは基台１ｂごとに支柱２を植立した構造としてあるので、受け台５の平面形状は左右のブーツで兼用できるような形状としておくと便利である。
【実施例３】
【００１９】  図７、８は実施例３の説明図で、形状保持部２１を支柱２に取り付けた例を示している。図７において支柱２は図６と同じように基台１ｂごとに植立され、バネ材で形成した複数組の羽根２２ａ、２２ｂ、２２ｃ・・・が形状保持部２１ａとして支柱２に取り付けられる。具体的には図の例のように、各羽根は一端側が支柱２に固定され、他端側は開放されて下向きにして統一されている。そして左右で１組にされた羽根２２ａ、２２ｂ、２２ｃ、２２ｄが４段配置されて１つの形状保持部２１ａとなっている。この例による各段の羽根２２ａ、２２ｂ、２２ｃ、２２ｄは脚部６ｂ全体の形状に合わせて足首部６ｃに位置する羽根２２ａはその長さＬ２が短く、履き口部９に位置する羽根２２ｄはその長さＬ３が長くなるよう全体に調整されている。このような保持部２１ａとしたことによってブーツ６を倒立して受け台５に保持させると、脚部６ｂ全体は足首部６ｃから履き口部９までバネ材による羽根２２ａ乃至２２ｄの圧力をその内側から外側方向に受けることになる。この圧力が脚部６ｂ全体に作用してしわの発生を抑制し、あるいは発生したしわを伸ばすようになってブーツ全体の美感を維持するよう働く。従って最もしわの発生しやすい足首部６ｃに位置することになる羽根２２ａ、２２ｂは、その枚数を図の左右で２枚から３枚、４枚のように配置密度を高めるようにすれば、その機能をさらに高めることが出来る。羽根２２の配置は上記の段状だけでなく、螺旋状や千鳥状としても同じ効果を得ることが出来る。
上記のようにこのブーツスタンドＳｓは、羽根２２による内側から外側に向かう圧力によってブーツ脚部６ｂの形状維持を図るようにしているので、チャック８を開放したままで保管するときは履き口部９側での羽根の圧力は弱くなるが機能上は殆ど支障がない。尚、この例に図６Ａの皿状保管材収容部１６ｂを取り付けるときは、段状とした羽根２２間に設置することになる。その際、設置する皿状収容部１６ｂの直径は前後に位置する羽根の長さ、例えばＬ２やＬ３などによって決められる外径より小さ目とすることは自明である。【００２０】  図８は図７の羽根２２による保持部２１ａを、線材で構成した筒状の形状保持部２１ｂとしたときの例を示している。図において支柱２は基台１ｂごとに植立され、線材で形成した筒状の保持部２１ｂをこの支柱２に取り付ける。筒状の保持部２１ｂは複数の縦方向に配列した補助材２３とリング状の横方向に配列した補助材２４よりなり、リング状補助材２４はこの例で２４ａ乃至２４ｆの６つが示され、それぞれは縦方向の補助材２３との交差位置で固着されて一体の補助部２１ｂとなる。またリング状補助材２４は、その中央部に位置する支柱２とも枝材２５によって連結され、結局補助材２３、リング状補助材２４、支柱２は一体になって筒状保持部２１ｂとなる。各補助材２３の受け台５側と基台１ｂ側は、受け台５と基台１ｂにそれぞれ固定され、筒状になる保持部２１ｂ全体の強度を補強する。従って補助材２３、２４が受け台５を保持するようになるから、支柱２を取り除いた保持部２１ｂ全体を支柱２と読み替えることも出来る。リング状補助材２４はブーツ脚部６ｂの形状に合わせて足首部６ｃに位置するリング材２４ａ、２４ｂはその径が小さく、履き口部９に位置するリング状補助材２４ｅ、２４ｆはその径が大きくなるよう調整してある。
このような形状保持部２１ｂとすることによって、ブーツ６を受け台５に載置するたびに脚部６ｂ全体が筒状に保持され形状維持が図られる。尚、この例に図６Ａの皿状保管材収容部１６ｂを取り付けるときは、各リング状補助材２４間に設置することになる。その際、設置する皿状収容部１６ｂの直径は前後するリング状補助材２４の外径より小さ目とすることは自明である。逆に取り付ける皿状保管剤収容部１６ｂを１つのリング状補助材２４の代わりとして使用するようにしても良い。【００２１】  図７、図８の例では１つの基台１ｂに対して１つの支柱２を植立し固定するようにしている。そのためブーツを使用しない夏期には支柱２にブーツ６を載せて保持したまま横倒しにして、ブーツ収容ケース内に保管しておくことが出来る。このような場合でも形状保持部２１によってブーツの形状維持機能は保持される。
【図面の簡単な説明】
【００２２】
【図１】本発明によるブーツスタンドの全体的な構成を示す説明用の斜視略図。
【図２】図１の一部断面図。
【図３】一般的なブーツの説明図。
【図４】ブーツ保管時の一例を示す説明図。
【図５】経済的なスタンドの例を示す説明図。
【図６】実施例２の説明図。
【図７】実施例３の説明図。
【図８】実施例３の説明図。
【符号の説明】
【００２３】  １・・・基台    ２・・・支柱    ３・・・回転受台    ４・・・取手    ５・・・受け台    ６・・・ブーツ    ９・・・履き口部    １１・・・ビニールシート    １２・・・回転金具    １３・・・ピン    １４・・・基部金具    １５・・・溝    １６・・・保管剤収容部    １８・・・保管剤    １９・・・フック    ２１・・・形状保持部    ２２・・・羽根    ２３・・・補助材    ２４・・・リング状補助材
【図１】
0003130951.tif 000003
【図２】
0003130951.tif 000004
【図３】
0003130951.tif 000005
【図４】
0003130951.tif 000006
【図５】
0003130951.tif 000007
【図６】
0003130951.tif 000008
【図７】
0003130951.tif 000009
【図８】
0003130951.tif 000010
【手続補正書】
【提出日】平成18年11月29日(2006.11.29)
【手続補正１】
【補正対象書類名】実用新案登録請求の範囲
【補正対象項目名】全文
【補正方法】変更
【補正の内容】
【実用新案登録請求の範囲】
【請求項１】
ブーツの高さ方向以上の長さとした一対の支柱を植立した１つの基台と、前記各支柱先端に固定したブーツ内側底部を載せる受け台とで構成され、前記受け台に倒立状態の左右ブーツ内側底部を夫々載置して保持するようにしたことを特徴とするブーツスタンド。
【請求項２】
ブーツの高さ方向以上の長さとした１つの支柱を植立した基台と、前記支柱先端に固定したブーツ内側底部を載せる受け台とで構成され、前記受け台に倒立状態にした左右いずれかのブーツ内側底部を載置して保持するようにしたことを特徴とするブーツスタンド。
【請求項３】
受け台近域に保管剤を収容する保管剤収容部を設けた支柱としたことを特徴とする請求項１または２記載のブーツスタンド。
【請求項４】
支柱側で固定され、他端側では開放されて下向きにして統一したバネ材による複数組の羽根を、形状保持部として支柱に取り付けたことを特徴とする請求項１〜３のいずれか一項に記載のブーツスタンド。
【請求項５】
線材で形成した筒状の形状保持部を支柱に取り付けたことを特徴とする請求項１〜３のいずれか一項に記載のブーツスタンド。